(57)【要約】【課題】従来の在宅ヘルスケアシステムでは健康端末装置がウィルス汚染などのセキュリティ検査や悪意者からの接続かどうか判定なしに管理サーバーに接続されるため、ウィルス汚染された健康端末装置や悪意者から管理サーバーに接続されると、管理サーバーもウィルス感染もしくは乗っ取られてしまう問題があった。【解決手段】本発明の在宅ヘルスケアシステムでは、健康管理端末が管理サーバーと接続する前にレイヤ２スイッチによって最初は検査サーバーへと接続させて、セキュリティチェックや正規接続の判定をおこなって問題がないことを確認した後に管理サーバーへと接続させるので、管理サーバーのウィルス感染や乗っ取りを防ぐことを可能にした。【選択図】図１
2008158721.tif 000002
【特許請求の範囲】
【請求項１】
患者の生体情報を管理手段に送信し医師からのアドバイス情報を受信する健康端末装置と、
前記生体情報を管理サーバーより取得し患者へアドバイス情報を送信するために医師が操作する医師端末と、
各患者の測定データなどの生体情報を蓄積されたデータベース手段と、
前記データベース手段に前記健康端末装置からの生体情報の蓄積制御をする情報制御手段と、
通信媒体としての通信回線網を経由して前記健康端末装置とを通信接続制御する通信手段と、
前記通信手段からの要求に基づいて通信接続認証をおこなう認証手段と、
前記健康端末装置のセキュリティ状況および正規な接続か否かをチェックする検査サーバーと、
前記健康端末装置が最初に接続したときは前記検査サーバーのチェックを受け、その後管理サーバーへの接続切り替えをおこなう接続切換え手段と、
前記健康端末装置へ通信接続のための情報を付与する情報付与手段と、
を備えた在宅ヘルスケアシステム。
【請求項２】
前記健康端末装置へセキュリティ対策の更新をおこなう差分ファイル管理手段を備えた請求項１記載の在宅ヘルスケアシステム。
【請求項３】
前記データベース手段がクラスタリングにより構成されたことを特徴とする請求項１または２記載の在宅ヘルスケアシステム。
【請求項４】
請求項１から３のいずれか１項記載の在宅ヘルスケアシステムの手段の少なくとも一部をコンピューターに実行させるためのプログラム。
【発明の詳細な説明】
【技術分野】
【０００１】
本発明は、医師や看護師などの医療関係者と、在宅あるいは医療機関内の患者との間で医療情報や生体情報の交信を行うことができる健康診断ネットワークシステムに関するものである。
【背景技術】
【０００２】
従来の在宅ヘルスケアシステムは、各家庭に設置された健康端末装置へ体温計、血糖計などの各種センサにより測定したデータを転送することで、データセンターなどに設置されたデータベースサーバーへ蓄積する。同時にＷｅｂサーバーを設置して、患者宅から離れた医師はインターネット網を経由して病院にてＩｎｔｅｒｎｅｔＥｘｐｌｏｒｅｒなどのブラウザによりデータベースサーバーに蓄積された患者データをチェックできるようにしてある。これによって患者の通院なしに、適切なアドバイスを患者へ与えたり、遠隔診療をおこなうことができる（特許文献１）。データベースサーバーには患者を特定するための年齢・性別・住所・電話番号といった個人特定情報と共に、患者の生体情報データなどの病状などの個人生体情報が蓄積される（特許文献２）。
【特許文献１】特開２００２−８３０６６号公報
【特許文献２】特開平７−１４１４５１号公報
【発明の開示】
【発明が解決しようとする課題】
【０００３】
しかしながら、従来の在宅ヘルスケアシステムでは健康端末装置のセキュリティや正規ソフトからのアクセスかのチェックなしに管理サーバーに接続されるため、ウィルス汚染された健康端末装置が管理サーバーに接続されると、管理サーバーもウィルス感染してしまう問題があった。また悪意者からの不正アクセスであった場合、管理サーバーを乗っ取られる危険もあった。
【０００４】
本発明は、健康管理端末が管理サーバーと接続する前にレイヤ２スイッチにより検査サーバーへと接続させて、セキュリティや正規ソフトウェアのチェックをおこなって問題がないことを確認した後に管理サーバーへと接続させるので、管理サーバーがウィルス汚染されたり、乗っ取りを防ぐことを目的とする。
【課題を解決するための手段】
【０００５】
本発明の在宅ヘルスケアシステムは、患者の生体情報を管理手段に送信し医師からのアドバイス情報を受信する健康端末装置と、前記生体情報を管理サーバーより取得し患者へアドバイス情報を送信するために医師が操作する医師端末と、各患者の測定データなどの生体情報を蓄積されたデータベース手段と、前記データベース手段に前記健康端末装置からの生体情報の蓄積制御をする情報制御手段と、通信媒体としての通信回線網を経由して前記健康端末装置とを通信接続制御する通信手段と、前記通信手段からの要求に基づいて通信接続認証をおこなう認証手段と、前記健康端末装置のセキュリティ状況および正規な接続か否かをチェックする検査サーバーと、前記健康端末装置が最初に接続したときは前記検査サーバーのチェックを受け、その後管理サーバーへの接続切り替えをおこなう接続切換え手段と、前記健康端末装置へ通信接続のための情報を付与する情報付与手段とを備えている。
【０００６】
この構成により、健康管理端末が管理サーバーと接続する前に接続切換え手段により検査サーバーへと接続させて、セキュリティや正規ソフトウェアのチェックをおこなって問題がないことを確認した後に管理サーバーへと接続させるので、管理サーバーのウィルス感染や乗っ取りを防ぐことができる。
【０００７】
本発明の在宅ヘルスケアシステムは、さらに前記健康端末装置へセキュリティ対策の更新をおこなう差分ファイル管理手段を備えている。
【０００８】
この構成により、ウィルス対策が未対応の場合でもパッチ管理サーバーに接続することで最新のセキュリティ状態にすることができる。
【０００９】
本発明の在宅ヘルスケアシステムは、前記データベース手段がクラスタリングにより構成されたことを特徴とする。
【００１０】
この構成により、機器などのトラブル時による患者の生体情報の損傷を防ぐことができる。
【００１１】
本発明のプログラムは、上記在宅ヘルスケアシステムの手段の少なくとも一部をコンピューターに実行させるためのプログラムである。
【００１２】
この構成により、ＣＰＵ（マイコン）、ＲＡＭ、ＲＯＭ、記憶装置、Ｉ／Ｏなどを備えた電気情報機器、コンピューター、サーバー等のハードリソースを協働させて、本発明の健康端末装置の一部あるいは全てを容易に実現することができる。また記録媒体に記録したり通信回線を用いてプログラムを配信したりすることでプログラムの配布やインストール作業が簡単にできる。
【発明の効果】
【００１３】
本発明は、患者の生体情報を管理手段に送信し医師からのアドバイス情報を受信する健康端末装置と、前記生体情報を管理サーバーより取得し患者へアドバイス情報を送信するために医師が操作する医師端末と、各患者の測定データなどの生体情報を蓄積されたデータベース手段と、前記データベース手段に前記健康端末装置からの生体情報の蓄積制御をする情報制御手段と、通信媒体としての通信回線網を経由して前記健康端末装置とを通信接続制御する通信手段と、前記通信手段からの要求に基づいて通信接続認証をおこなう認証手段と、前記健康端末装置のセキュリティ状況および正規な接続か否かをチェックする検査サーバーと、前記健康端末装置が最初に接続したときは前記検査サーバーのチェックを受け、その後管理サーバーへの接続切り替えをおこなう接続切換え手段と、前記健康端末装置へ通信接続のための情報を付与する情報付与手段とを備えている。
【００１４】
この構成により、健康管理端末が管理サーバーと接続する前に接続切換え手段により検査サーバーへと接続させて、セキュリティや正規ソフトウェアのチェックをおこなって問題がないことを確認した後に管理サーバーへと接続させるので、管理サーバーのウィルス感染や乗っ取りを防ぐことができる。
【発明を実施するための最良の形態】
【００１５】
以下、本発明の実施の形態の在宅ヘルスケアシステムについて、図面を用いて説明する。
【００１６】
（第１の実施の形態）
本発明の第１の実施の形態における在宅ヘルスケアシステムの構成図を図１に示す。
【００１７】
図１において、健康端末装置１０１は患者が測定した体温、血糖値などの生体情報を管理サーバー１０２へ送信すると共に、医師からのアドバイス情報を受信する。検査サーバー１０３は健康端末装置１０１のセキュリティ状況や正規接続であるかをチェックする。
【００１８】
接続切換え手段であるレイヤ２スイッチ１０４は健康端末装置１０１が最初に接続したときは検査サーバー１０３のチェックを受け、その後管理サーバーへの接続をおこなうように接続先の切換え制御をする。通信手段であるＲＡＳ（Remote Access Service）１０５は通信回線網として例えばアナログ回線網１０８を経由して健康端末装置１０１と通信接続制御する。
【００１９】
接続のための情報付与手段であるＤＨＣＰ（Dynamic Host Configuration Protocol）１０６は健康端末装置１０１へ通信接続のための情報を付与する。認証手段であるＲＡＤＩＵＳ（Remote Authentication Dial In User Service）１０７はＲＡＳ１０５からの要求に基づいて通信接続認証をおこなう。アナログ回線網１０８は通信媒体として使用する。
【００２０】
医師端末１０９は患者が測定した生体情報を管理サーバー１０２より取得して閲覧すると共に、患者へアドバイス情報を送信するために医師が使用する。情報制御手段１１１はデータベース手段１１２に健康端末装置１０１からの生体情報の蓄積制御をする。データベース手段１１２は各患者の測定データなどの生体情報を蓄積される。
【００２１】
以上のように構成された在宅ヘルスケアシステムについて、本発明の動作を詳細に説明する。
【００２２】
健康端末装置１０１は患者が自宅で入力した生体情報をアナログ回線網１０８を介して、管理サーバー１０２へ送信する。管理サーバー１０２の情報制御手段１１１はこれを受信してデータベース手段１１２に蓄積をする。また医者は医師端末１０９を使用してデータベース手段１１２に蓄積された患者データを遠隔にて閲覧することで、患者が病院に行かずに日々の健康管理状態を医師は知ることができ治療に生かすことができる。
【００２３】
もし医師が食事内容などの健康アドバイスや通院指示をしたい場合には、医師端末１０９を使用することでデータベース手段１１２へ書き込みを行い。健康端末装置１０１は情報制御手段１１１を介してその書き込みを受信、患者はそのアドバイス情報を入手することができる。
【００２４】
しかしながら健康端末装置１０１が設置されている場所は主として一般患者宅であり、セキュリティ対策などを定期的にしていることもほとんどない。また患部写真の転送のために外部記憶装置を接続したりとウィルスやワームにより汚染される危険性があり管理サーバー１０２に接続することで全健康端末装置１０１に感染する危険性がある。
【００２５】
しかしながら本システムでは健康端末装置１０１が接続しようとするときに検査サーバー１０３と接続することで、ウィルスの感染やまたは健康端末装置１０１以外からの接続であるかを事前にチェックしてそれを防ぐものである。以降この動作について詳しく述べる。
【００２６】
健康端末装置１０１がアナログ回線網１０８にＲＡＳ１０５に接続されようとするときにユーザーＩＤとパスワードの認証をＲＡＤＩＵＳ１０７によって行われる。この認証に成功した後、ＤＨＣＰ１０６によってＩＰアドレスなどのネットワーク情報を割り当てるのであるが、ＤＨＣＰ１０６は最初は検査サーバー１０３と同じネットワークセグメント
のＩＰアドレスを健康端末装置１０１に割り当てる。
【００２７】
レイヤ２スイッチ１０４はそのＩＰアドレスを割り当てられている健康端末装置１０１からのパケットはすべて同じネットワークセグメントの検査サーバー１０３への通信のみスイッチする。
【００２８】
検査サーバー１０３は健康端末装置のセキュリティ対策の状況をチェックまたは接続しようとしている健康端末装置１０１が正規のものであり、悪意者が健康端末装置１０１に偽装することで管理用サーバー１０２と接続しようとしているかを、健康端末装置と所定の通信をすることで判別する。もし特に異常がなければＤＨＣＰ１０６に管理サーバー１０２と同じネットワークセグメントのＩＰアドレスなどの接続のために必要なネットワーク情報の割り当てを要求する。
【００２９】
その要求を受け取ったＤＨＣＰ１０６は新しいＩＰアドレスを健康端末装置１０１に割り当て、その後、健康端末装置１０１は管理サーバー１０２と通信することができるのである。もしセキュリティ対策が不十分だと検査サーバー１０３が判断した場合には、ＤＨＣＰ１０６はネットワーク情報の再割り当てをおこなわない。
【００３０】
そうすることでセキュリティ対策が不十分な端末や悪意者による管理サーバー１０２への不正アクセスを防止することができる。
【００３１】
（第２の実施の形態）
次に図２に本発明の第２の実施の形態の在宅ヘルスケアシステムの構成図を示す。健康端末装置１０１へセキュリティ更新をおこなう差分ファイル管理手段としてのパッチ管理サーバー１１０を図２に示す。。健康端末装置１０１が検査サーバー１０３によりセキュリティ対策の状況をチェックして不十分だと判断した時には、パッチ管理サーバー１１０へ接続するように健康端末装置１０１へ指示を出す。健康端末装置１０１はパッチ管理サーバー１１０からセキュリティ対策に必要なファイルを更新することで最新の状態にする。その後健康端末装置１０１は管理サーバー１０２と通信できるようになる。
【産業上の利用可能性】
【００３２】
以上のように、本発明にかかる在宅ヘルスケアシステムは、健康管理端末が管理サーバーと接続する前にレイヤ２スイッチにより検査サーバーへと接続させて、セキュリティチェックをおこなって問題がないことを確認した後に管理サーバーへと接続させるので、管理サーバーのウィルス感染や乗っ取りを防ぐことができる。
【図面の簡単な説明】
【００３３】
【図１】本発明の第１実施の形態における在宅ヘルスケアシステムの構成図
【図２】本発明の第２実施の形態における在宅ヘルスケアシステムの構成図
【符号の説明】
【００３４】
１０１    健康端末装置
１０２    管理サーバー
１０３    検査サーバー
１０４    レイヤ２スイッチ
１０５    ＲＡＳ
１０６    ＤＨＣＰ
１０７    ＲＡＤＩＵＳ
１０８    アナログ通信網
１０９    医師端末
１１０    パッチ管理サーバー
１１１    情報制御手段
１１２    データベース手段
【図１】
2008158721.tif 000003
【図２】
2008158721.tif 000004